(57)【特許請求の範囲】
【請求項１】
複数のパワーコンディショナ装置と、
前記複数のパワーコンディショナ装置に通信可能に接続された制御装置と、を備え、
前記制御装置は、外部の情報処理装置から、前記複数のパワーコンディショナ装置の出力制御値を含む出力制御スケジュール情報を取得すると、前記複数のパワーコンディショナ装置に前記出力制御スケジュール情報に基づく出力指令値を送信し、
前記パワーコンディショナ装置は、
前記制御装置から前記出力制御スケジュール情報の少なくとも一部を取得するスケジュール情報取得部と、
前記取得された出力制御スケジュール情報を記憶する記憶部と、
前記制御装置と自装置との通信状態が正常である場合は、前記制御装置から受信した出力指令値に基づいて自装置の出力制御を行い、前記通信状態が異常である場合は、前記記憶部から前記出力制御スケジュール情報を読み出し、前記読み出した出力制御スケジュール情報に基づいて自装置の出力制御を行う出力制御部と、
を有することを特徴とする太陽光発電システム。
【請求項２】
前記出力制御部は、前記通信異常が所定の時間継続した場合に、前記記憶部から前記出力制御スケジュール情報を読み出すことを特徴とする請求項１に記載の太陽光発電システム。
【請求項３】
前記出力制御部は、前記通信状態が異常であり、かつ前記記憶部から前記出力制御スケジュール情報を読み出せない場合、自装置の出力を停止する制御を行うことを特徴とする請求項１または２に記載の太陽光発電システム。
【請求項４】
複数のパワーコンディショナ装置と、
前記複数のパワーコンディショナ装置および外部サーバに通信可能に接続された制御装置と、を備え、
前記制御装置は、前記外部サーバから、第１の期間についての前記パワーコンディショナ装置の出力制御値を含む第１の出力制御スケジュール情報と、前記第１の期間より長い第２の期間についての前記パワーコンディショナ装置の出力制御値を含む第２の出力制御スケジュール情報とを取得すると、前記複数のパワーコンディショナ装置に前記第１の出力制御スケジュール情報に基づく出力指令値を送信し、
前記パワーコンディショナ装置は、
前記制御装置から前記第２の出力制御スケジュール情報の少なくとも一部を取得するスケジュール情報取得部と、
前記取得された第２の出力制御スケジュール情報を記憶する記憶部と、
前記制御装置と自装置との通信状態が正常である場合は、前記制御装置から受信した出力指令値に基づいて自装置の出力制御を行い、前記通信状態が異常である場合は、前記記憶部から前記第２の出力制御スケジュール情報を読み出し、前記読み出した第２の出力制御スケジュール情報に基づいて自装置の出力制御を行う出力制御部と、
を有することを特徴とする太陽光発電システム。
【請求項５】
前記出力制御部は、前記通信異常が所定の時間継続した場合に、前記記憶部から前記第２の出力制御スケジュール情報を読み出すことを特徴とする請求項４に記載の太陽光発電システム。
【請求項６】
前記出力制御部は、前記通信状態が異常であり、かつ前記記憶部から前記第２の出力制御スケジュール情報を読み出せない場合に、自装置の出力を停止する制御を行うことを特徴とする請求項４または５に記載の太陽光発電システム。
【請求項７】
第１のパワーコンディショナ装置と、前記第１のパワーコンディショナ装置に通信可能に接続された第２のパワーコンディショナ装置と、を備え、
前記第１のパワーコンディショナ装置は、外部の情報処理装置から、前記第１のパワーコンディショナ装置および前記第２のパワーコンディショナ装置の出力制御値を含む出力制御スケジュール情報を取得し、
前記第２のパワーコンディショナ装置は、
前記第１のパワーコンディショナ装置から前記出力制御スケジュール情報の少なくとも一部を取得するスケジュール情報取得部と、
前記取得された出力制御スケジュール情報を記憶する記憶部と、
前記記憶部から前記出力制御スケジュール情報を読み出し、前記読み出した出力制御スケジュール情報に基づいて自装置の出力制御を行う出力制御部と、
を有することを特徴とする太陽光発電システム。
【請求項８】
前記出力制御部は、前記記憶部から前記出力制御スケジュール情報を読み出せない場合、自装置の出力を停止する制御を行うことを特徴とする請求項７に記載の太陽光発電システム。
【請求項９】
複数のパワーコンディショナ装置と、前記複数のパワーコンディショナ装置に通信可能に接続された制御装置と、を備える太陽光発電システムの制御方法であって、
前記制御装置は、外部の情報処理装置から、前記複数のパワーコンディショナ装置の出力制御値を含む出力制御スケジュール情報を取得すると、前記複数のパワーコンディショナ装置に前記出力制御スケジュール情報に基づく出力指令値を送信し、
前記パワーコンディショナ装置は、
前記制御装置から前記出力制御スケジュール情報の少なくとも一部を取得し、
前記取得された出力制御スケジュール情報を記憶部に記憶し、
前記制御装置と自装置との通信状態が正常である場合は、前記制御装置から受信した出力指令値に基づいて自装置の出力制御を行い、前記通信状態が異常である場合は、前記記憶部から前記出力制御スケジュール情報を読み出し、前記読み出した出力制御スケジュール情報に基づいて自装置の出力制御を行う、
ことを特徴とする太陽光発電システムの制御方法。
【請求項１０】
複数のパワーコンディショナ装置と、前記複数のパワーコンディショナ装置および外部サーバに通信可能に接続された制御装置と、を備える太陽光発電システムの制御方法であって、
前記制御装置は、前記外部サーバから、第１の期間についての前記パワーコンディショナ装置の出力制御値を含む第１の出力制御スケジュール情報と、前記第１の期間より長い第２の期間についての前記パワーコンディショナ装置の出力制御値を含む第２の出力制御スケジュール情報とを取得すると、前記複数のパワーコンディショナ装置に前記第１の出力制御スケジュール情報に基づく出力指令値を送信し、
前記パワーコンディショナ装置は、
前記制御装置から前記第２の出力制御スケジュール情報の少なくとも一部を取得し、
前記取得された第２の出力制御スケジュール情報を記憶部に記憶し、
前記制御装置と自装置との通信状態が正常である場合は、前記制御装置から受信した出力指令値に基づいて自装置の出力制御を行い、前記通信状態が異常である場合は、前記記憶部から前記第２の出力制御スケジュール情報を読み出し、前記読み出した第２の出力制御スケジュール情報に基づいて自装置の出力制御を行う、
ことを特徴とする太陽光発電システムの制御方法。
【請求項１１】
第１のパワーコンディショナ装置と、前記第１のパワーコンディショナ装置に通信可能に接続された第２のパワーコンディショナ装置と、を備える太陽光発電システムの制御方法であって、
前記第１のパワーコンディショナ装置は、外部の情報処理装置から、前記第１のパワーコンディショナ装置および前記第２のパワーコンディショナ装置の出力制御値を含む出力制御スケジュール情報を取得し、
前記第２のパワーコンディショナ装置は、
前記第１のパワーコンディショナ装置から前記出力制御スケジュール情報の少なくとも一部を取得し、
前記取得された出力制御スケジュール情報を記憶部に記憶し、
前記記憶部から前記出力制御スケジュール情報を読み出し、前記読み出した出力制御スケジュール情報に基づいて自装置の出力制御を行う、
ことを特徴とする太陽光発電システムの制御方法。
【発明の詳細な説明】
【技術分野】
【０００１】
本発明は、太陽光発電システムおよびその制御方法に関する。
【背景技術】
【０００２】
太陽光発電システム（ｐｈｏｔｏｖｏｌｔａｉｃ ｓｙｓｔｅｍ：ＰＶシステム）が電力系統に大量に接続された場合、系統に供給される電力が電気事業者の接続可能量を超えるおそれがある。このような事態を回避するため、電力需要が少ない時期には太陽光発電システムの出力を抑制することが求められる。出力抑制を行うために、電力会社サーバ等から取得された出力制御スケジュールに従ってパワーコンディショナ装置を動作させる必要がある。なお、特許文献１には、パワーコンディショナ装置の一例が記載されている。
【０００３】
図１０に示すように、従来の太陽光発電システム１０００は、太陽電池が出力する直流電力を交流電力に変換するパワーコンディショナ装置６００と、パワーコンディショナ装置６００に通信可能に接続された制御装置７００とを有する。制御装置７００は、ノートパソコン等の情報処理装置５００から出力制御スケジュール（例えば約１年分の固定スケジュール）を取得する。具体的には、保守者が情報処理装置５００から制御装置７００に手動でスケジュール情報をダウンロードする。そして、制御装置７００が各パワーコンディショナ装置６００に出力制御スケジュールに基づく出力指令値を送信する。これにより、パワーコンディショナ装置６００は、例えば発電量の多い夏場の日中の時間帯では、定格出力よりも低い出力で運転することになり、太陽光発電システムの出力が抑制される。
【先行技術文献】
【特許文献】
【０００４】
【特許文献１】特開２００２−３１５１９４号公報
【発明の概要】
【発明が解決しようとする課題】
【０００５】
従来の太陽光発電システム１０００では、制御装置７００の故障や通信線の断線等により、制御装置７００とパワーコンディショナ装置６００間で通信異常が発生するおそれがある。このような場合、太陽光発電システム１０００の供給電力が接続可能量を超えることがないように、フェールセーフの観点から、制御装置７００の制御下にある全てのパワーコンディショナ装置６００を停止させる。このため、太陽光発電システム１０００の供給電力が零になり、設備利用率が低下するとともに、売電損失が大きくなるという課題があった。
【０００６】
本発明は、上記の技術的認識に基づいてなされたものであり、その目的は、設備利用率の低下を抑制するとともに、売電損失を少なくすることが可能な太陽光発電システムおよびその制御方法を提供することである。
【課題を解決するための手段】
【０００７】
本発明に係る太陽光発電システムは、
複数のパワーコンディショナ装置と、
前記複数のパワーコンディショナ装置に通信可能に接続された制御装置と、を備え、
前記制御装置は、外部の情報処理装置から、前記複数のパワーコンディショナ装置の出力制御値を含む出力制御スケジュール情報を取得すると、前記複数のパワーコンディショナ装置に前記出力制御スケジュール情報に基づく出力指令値を送信し、
前記パワーコンディショナ装置は、
前記制御装置から前記出力制御スケジュール情報の少なくとも一部を取得するスケジュール情報取得部と、
前記取得された出力制御スケジュール情報を記憶する記憶部と、
前記制御装置と自装置との通信状態が正常である場合は、前記制御装置から受信した出力指令値に基づいて自装置の出力制御を行い、前記通信状態が異常である場合は、前記記憶部から前記出力制御スケジュール情報を読み出し、前記読み出した出力制御スケジュール情報に基づいて自装置の出力制御を行う出力制御部と、
を有することを特徴とする。
【０００８】
また、前記太陽光発電システムにおいて、
前記出力制御部は、前記通信異常が所定の時間継続した場合に、前記記憶部から前記出力制御スケジュール情報を読み出してもよい。
【０００９】
また、前記太陽光発電システムにおいて、
前記出力制御部は、前記通信状態が異常であり、かつ前記記憶部から前記出力制御スケジュール情報を読み出せない場合、自装置の出力を停止する制御を行ってもよい。
【００１０】
本発明に係る太陽光発電システムは、
複数のパワーコンディショナ装置と、
前記複数のパワーコンディショナ装置および外部サーバに通信可能に接続された制御装置と、を備え、
前記制御装置は、前記外部サーバから、第１の期間についての前記パワーコンディショナ装置の出力制御値を含む第１の出力制御スケジュール情報と、前記第１の期間より長い第２の期間についての前記パワーコンディショナ装置の出力制御値を含む第２の出力制御スケジュール情報とを取得すると、前記複数のパワーコンディショナ装置に前記第１の出力制御スケジュール情報に基づく出力指令値を送信し、
前記パワーコンディショナ装置は、
前記制御装置から前記第２の出力制御スケジュール情報の少なくとも一部を取得するスケジュール情報取得部と、
前記取得された第２の出力制御スケジュール情報を記憶する記憶部と、
前記制御装置と自装置との通信状態が正常である場合は、前記制御装置から受信した出力指令値に基づいて自装置の出力制御を行い、前記通信状態が異常である場合は、前記記憶部から前記第２の出力制御スケジュール情報を読み出し、前記読み出した第２の出力制御スケジュール情報に基づいて自装置の出力制御を行う出力制御部と、
を有することを特徴とする。
【００１１】
また、前記太陽光発電システムにおいて、
前記出力制御部は、前記通信異常が所定の時間継続した場合に、前記記憶部から前記第２の出力制御スケジュール情報を読み出してもよい。
【００１２】
また、前記太陽光発電システムにおいて、
前記出力制御部は、前記通信状態が異常であり、かつ前記記憶部から前記第２の出力制御スケジュール情報を読み出せない場合に、自装置の出力を停止する制御を行ってもよい。
【００１３】
本発明に係る太陽光発電システムは、
第１のパワーコンディショナ装置と、前記第１のパワーコンディショナ装置に通信可能に接続された第２のパワーコンディショナ装置と、を備え、
前記第１のパワーコンディショナ装置は、外部の情報処理装置から、前記第１のパワーコンディショナ装置および前記第２のパワーコンディショナ装置の出力制御値を含む出力制御スケジュール情報を取得し、
前記第２のパワーコンディショナ装置は、
前記第１のパワーコンディショナ装置から前記出力制御スケジュール情報の少なくとも一部を取得するスケジュール情報取得部と、
前記取得された出力制御スケジュール情報を記憶する記憶部と、
前記記憶部から前記出力制御スケジュール情報を読み出し、前記読み出した出力制御スケジュール情報に基づいて自装置の出力制御を行う出力制御部と、
を有することを特徴とする。
【００１４】
前記太陽光発電システムは、
前記出力制御部は、前記記憶部から前記出力制御スケジュール情報を読み出せない場合、自装置の出力を停止する制御を行うことを特徴とする。
【００１５】
本発明に係る太陽光発電システムの制御方法は、
複数のパワーコンディショナ装置と、前記複数のパワーコンディショナ装置に通信可能に接続された制御装置と、を備える太陽光発電システムの制御方法であって、
前記制御装置は、外部の情報処理装置から、前記複数のパワーコンディショナ装置の出力制御値を含む出力制御スケジュール情報を取得すると、前記複数のパワーコンディショナ装置に前記出力制御スケジュール情報に基づく出力指令値を送信し、
前記パワーコンディショナ装置は、
前記制御装置から前記出力制御スケジュール情報の少なくとも一部を取得し、
前記取得された出力制御スケジュール情報を記憶し、
前記制御装置と自装置との通信状態が正常である場合は、前記制御装置から受信した出力指令値に基づいて自装置の出力制御を行い、前記通信状態が異常である場合は、前記記憶部から前記出力制御スケジュール情報を読み出し、前記読み出した出力制御スケジュール情報に基づいて自装置の出力制御を行う、
ことを特徴とする。
【００１６】
本発明に係る太陽光発電システムの制御方法は、
複数のパワーコンディショナ装置と、前記複数のパワーコンディショナ装置および外部サーバに通信可能に接続された制御装置と、を備える太陽光発電システムの制御方法であって、
前記制御装置は、前記外部サーバから、第１の期間についての前記パワーコンディショナ装置の出力制御値を含む第１の出力制御スケジュール情報と、前記第１の期間より長い第２の期間についての前記パワーコンディショナ装置の出力制御値を含む第２の出力制御スケジュール情報とを取得すると、前記複数のパワーコンディショナ装置に前記第１の出力制御スケジュール情報に基づく出力指令値を送信し、
前記パワーコンディショナ装置は、
前記制御装置から前記第２の出力制御スケジュール情報の少なくとも一部を取得し、
前記取得された第２の出力制御スケジュール情報を記憶し、
前記制御装置と自装置との通信状態が正常である場合は、前記制御装置から受信した出力指令値に基づいて自装置の出力制御を行い、前記通信状態が異常である場合は、前記記憶部から前記第２の出力制御スケジュール情報を読み出し、前記読み出した第２の出力制御スケジュール情報に基づいて自装置の出力制御を行う、
ことを特徴とする。
【００１７】
本発明に係る太陽光発電システムの制御方法は、
第１のパワーコンディショナ装置と、前記第１のパワーコンディショナ装置に通信可能に接続された第２のパワーコンディショナ装置と、を備える太陽光発電システムの制御方法であって、
前記第１のパワーコンディショナ装置は、外部の情報処理装置から、前記第１のパワーコンディショナ装置および前記第２のパワーコンディショナ装置の出力制御値を含む出力制御スケジュール情報を取得し、
前記第２のパワーコンディショナ装置は、
前記第１のパワーコンディショナ装置から前記出力制御スケジュール情報の少なくとも一部を取得し、
前記取得された出力制御スケジュール情報を記憶し、
前記記憶部から前記出力制御スケジュール情報を読み出し、前記読み出した出力制御スケジュール情報に基づいて自装置の出力制御を行う、
ことを特徴とする。
【発明の効果】
【００１８】
本発明の太陽光発電システムでは、パワーコンディショナ装置は、出力制御スケジュール情報を記憶する記憶部を有し、この記憶部に記憶された出力制御スケジュール情報に基づいて自装置の出力抑制を自律的に行うことが可能なように構成されている。このため、太陽光発電システムの設備利用率の低下を抑制するとともに、売電損失を少なくすることができる。
【図面の簡単な説明】
【００１９】
【図１】第１の実施形態に係る太陽光発電システム１の概略的な構成を示す図である。
【図２】パワーコンディショナ装置１０の機能ブロック図である。
【図３】固定スケジュールの一例を示す図である。
【図４】第１の実施形態に係る太陽光発電システム１の制御方法を説明するためのフローチャートである。
【図５】図４に続く、太陽光発電システム１の制御方法を説明するためのフローチャートである。
【図６】第２の実施形態に係る太陽光発電システム１Ａの概略的な構成を示す図である。
【図７】第２の実施形態に係る太陽光発電システム１Ａの制御方法を説明するためのフローチャートである。
【図８】第３の実施形態に係る太陽光発電システム１Ｂの概略的な構成を示す図である。
【図９】第３の実施形態に係る太陽光発電システム１Ｂの制御方法を説明するためのフローチャートである。
【図１０】従来の太陽光発電システム１０００の概略的な構成を示す図である。
【発明を実施するための形態】
【００２０】
以下、図面を参照しつつ本発明に係る３つの実施形態について説明する。
【００２１】
（第１の実施形態）
第１の実施形態に係る太陽光発電システム１は、図１に示すように、複数のパワーコンディショナ装置（ＰＣＳ）１０と、制御装置２０と、を備えている。
【００２２】
まず、制御装置２０について説明する。制御装置２０は、複数のパワーコンディショナ装置１０を制御する装置であり、複数のパワーコンディショナ装置１０に通信可能に接続されている。なお、制御装置２０とパワーコンディショナ装置１０間の通信接続は、有線であってもよいし、無線であってもよい。また、接続トポロジは、図１ではデイジーチェーン方式であるが、これに限るものではなく、スター型、バス型等の他の接続方式であってもよい。
【００２３】
制御装置２０は、外部の情報処理装置３００（例えばノートパソコン）から出力制御スケジュール情報を取得する。この出力制御スケジュール情報は、パワーコンディショナ装置１０の出力制御値を含むものであり、例えば、４００日分等の年間設定の固定スケジュール情報である。図３は、ある日の固定スケジュールの一例を示している。
【００２４】
出力制御スケジュール情報の取得については、具体的には、まず保守者が情報処理装置３００をＵＳＢケーブル等で制御装置２０に接続する。そして、保守者が手動で出力制御スケジュール情報を情報処理装置３００から制御装置２０にダウンロードする。
【００２５】
制御装置２０は、出力制御スケジュール情報を取得すると、複数のパワーコンディショナ装置１０に出力制御スケジュール情報に基づく出力指令値を送信する。より詳しくは、制御装置２０は、出力制御スケジュール情報から、現在日時に対応する出力制御値を読み出し、読み出した出力制御値に基づく出力指令値をパワーコンディショナ装置１０に送信する。例えば、図３に示す固定スケジュールの場合、現在時刻が１０時のとき出力制御値が４５％なので、制御装置２０はパワーコンディショナ装置１０に対して定格出力の４５％を出力上限とするように指令する。
【００２６】
次に、パワーコンディショナ装置１０について説明する。
【００２７】
パワーコンディショナ装置１０は、図２に示すように、制御部１１と、通信部１２と、記憶部１３と、電力変換部１４とを有している。
【００２８】
制御部１１は、パワーコンディショナ装置１０の動作全体を制御するものである。この制御部１１は、ハードウェアで構成されてもよいし、あるいは、ソフトウェア（パワーコンディショナ装置の運転制御プログラム）で構成されてもよい。
【００２９】
通信部１２は、制御装置２０や他のパワーコンディショナ装置１０との間で情報を送受信するように構成されている。
【００３０】
記憶部１３は、後述のスケジュール情報取得部１１１が制御装置２０から取得した出力制御スケジュール情報等を記憶する。なお、記憶部１３には、パワーコンディショナ装置１０が動作するためのプログラムや、パワーコンディショナ装置１０の各種状態（出力電力、異常の有無）等の情報が格納されてもよい。なお、記憶部１３は、ハードディスクや半導体メモリ等により構成される。
【００３１】
電力変換部１４は、インバータ回路を有しており、太陽電池から供給される直流電力を所定の交流電力に変換する。
【００３２】
次に、制御部１１の詳細について説明する。
【００３３】
制御部１１は、図２に示すように、スケジュール情報取得部１１１と、出力制御部１１２とを有している。
【００３４】
スケジュール情報取得部１１１は、制御装置２０から出力制御スケジュール情報の少なくとも一部を取得する。例えば、スケジュール情報取得部１１１は、４００日分の固定スケジュール情報のうち、今日から３日分の固定スケジュール情報を取得する。なお、スケジュール情報取得部１１１は、制御装置２０が取得した出力制御スケジュール情報の全てを記憶してもよい。
【００３５】
出力制御部１１２は、制御装置２０と自パワーコンディショナ装置（自装置）との通信状態が正常である場合、制御装置２０から受信した出力指令値に基づいて自装置の出力制御を行う。一方、通信状態が異常である場合、出力制御部１１２は、記憶部１３から出力制御スケジュール情報を読み出し、読み出した出力制御スケジュール情報に基づいて自装置の出力制御を行う。ここで、通信状態が正常であるとは、制御装置２０から出力指令値を受信可能な状態であることをいい、通信状態が異常であるとは、制御装置２０から出力指令値を受信できない状態であることをいう。
【００３６】
なお、出力制御部１１２は、通信異常が所定の時間（例えば５分間）継続した場合に、記憶部１３から出力制御スケジュール情報を読み出すようにしてもよい。これにより、比較的短時間のうちに通信異常が回復した場合は、パワーコンディショナ装置１０は制御装置２０の出力指令値に基づいて出力制御を行うことができる。
【００３７】
また、出力制御部１１２は、通信状態が異常であり、かつ記憶部１３から出力制御スケジュール情報を読み出せない場合、自装置の出力を停止する制御を行ってもよい。これにより、太陽光発電システム１の供給電力が接続可能量を超える事態を防止することができる。
【００３８】
上記のように、第１の実施形態に係る太陽光発電システム１では、各パワーコンディショナ装置１０は、制御装置２０が外部の情報処理装置３００から取得した出力制御スケジュール情報の少なくとも一部を記憶し、通信異常の場合に、当該出力制御スケジュール情報に基づいて自装置の出力制御を行う。このように、第１の実施形態によれば、制御装置２０とパワーコンディショナ装置１０間で通信異常が発生した場合であっても、各パワーコンディショナ装置１０は出力制御スケジュール情報に基づいて自律的に出力抑制を行うことができるため、設備利用率の低下を抑制するとともに売電損失を少なくすることができる。
【００３９】
次に、太陽光発電システム１の制御方法について、図４および図５のフローチャートを参照して説明する。
【００４０】
まず、制御装置２０が、外部の情報処理装置３００から出力制御スケジュール情報を取得したかどうかを判定する（ステップＳ１１）。出力制御スケジュール情報を取得した場合（Ｓ１１：Ｙｅｓ）、制御装置２０は、複数のパワーコンディショナ装置１０に出力制御スケジュール情報に基づく出力指令値を送信する（ステップＳ１２）。一方、出力制御スケジュール情報を取得できない場合（Ｓ１１：Ｎｏ）、制御装置２０は、出力制御スケジュール情報を取得（Ｓ１１：Ｙｅｓ）するまで、外部の情報処理装置３００から出力制御スケジュール情報を取得したかどうかの判定（ステップＳ１１）を繰り返す。
【００４１】
次に、パワーコンディショナ装置１０のスケジュール情報取得部１１１が、制御装置２０から出力制御スケジュール情報の少なくとも一部を取得する（ステップＳ１３）。
【００４２】
次に、パワーコンディショナ装置１０の記憶部１３が、ステップＳ１３で取得された出力制御スケジュール情報を記憶する（ステップＳ１４）。
【００４３】
次に、パワーコンディショナ装置１０の通信部１２が、自装置と制御装置２０との通信状態が正常であるかどうかを判定する（ステップＳ１５）。通信状態が正常である場合（Ｓ１５：Ｙｅｓ）、パワーコンディショナ装置１０の出力制御部１１２が、制御装置２０から受信した出力指令値に基づいて自装置の出力制御を行う（ステップＳ１６）。一方、通信状態が異常である場合（Ｓ１５：Ｎｏ）、通信異常が所定時間（例えば５分間）継続したかどうかを判定する（ステップＳ１７）。
【００４４】
通信異常が所定時間継続した場合（Ｓ１７：Ｙｅｓ）、出力制御部１１２は、記憶部１３から出力制御スケジュール情報を読み出し可能であるかどうかを判定する（ステップＳ１８）。そして、読み出し可能である場合（Ｓ１８：Ｙｅｓ）、出力制御部１１２は、記憶部１３から出力制御スケジュール情報を読み出し、読み出した出力制御スケジュール情報に基づいて自装置の出力制御を行う（ステップＳ１９）。
【００４５】
一方、通信異常が所定時間継続しなかった場合（Ｓ１７：Ｎｏ）、ステップＳ１６に戻り、パワーコンディショナ装置１０は、回復した通信を介して制御装置２０から受信した出力指令値に基づいて自装置の出力制御を行う。
【００４６】
また、記憶部１３から出力制御スケジュール情報を読み出すことができない場合（Ｓ１８：Ｎｏ）、パワーコンディショナ装置１０は、出力停止制御を行う（ステップＳ２０）。これにより、パワーコンディショナ装置１０から交流電力が出力されない状態となる。
【００４７】
なお、上記フローにおいて、ステップＳ１７およびステップＳ１８は必須ではなく、適宜省略することも可能である。
【００４８】
（第２の実施形態）
次に、本発明の第２の実施形態に係る太陽光発電システム１Ａについて説明する。第１の実施形態との相違点の一つは、制御装置が通信ネットワークを介して外部サーバに接続されており、出力制御スケジュール情報（更新スケジュールおよび固定スケジュール）を保守者に依らず自動でダウンロードする点である。以下、相違点を中心に第２の実施形態について説明する。
【００４９】
第２の実施形態に係る太陽光発電システム１Ａは、図６に示すように、複数のパワーコンディショナ装置（ＰＣＳ）１０Ａと、制御装置２０Ａと、を備えている。制御装置２０Ａは、複数のパワーコンディショナ装置１０Ａおよび外部サーバ４００に通信可能に接続されている。外部サーバ４００は、例えば、電力会社が出力制御スケジュール情報をアップロードする電力会社サーバ、あるいは、電力会社サーバから出力制御スケジュール情報をダウンロードする配信事業者サーバである。
【００５０】
制御装置２０Ａは、外部サーバ４００から、更新スケジュール情報（第１の出力制御スケジュール情報）および固定スケジュール情報（第２の出力制御スケジュール情報）を取得する。ここで、更新スケジュール情報は、第１の期間（例えば日単位または時間単位）についてのパワーコンディショナ装置１０Ａの出力制御値を含む出力制御スケジュール情報である。固定スケジュール情報は、第１の期間より長い第２の期間（例えば年単位）についてのパワーコンディショナ装置１０Ａの出力制御値を含む出力制御スケジュール情報である。
【００５１】
更新スケジュール情報および固定スケジュール情報は、インターネット等の通信ネットワークを介して外部サーバ４００から制御装置２０Ａに自動でダウンロードされて、制御装置２０に取得される。制御装置２０Ａは、更新スケジュール情報および固定スケジュール情報を取得すると、複数のパワーコンディショナ装置１０Ａに更新スケジュール情報に基づく出力指令値を送信する。
【００５２】
パワーコンディショナ装置１０Ａは、概略的な構成としては第１の実施形態で図２を参照して説明したパワーコンディショナ装置１０とほぼ同じであるが、相違点について以下に説明する。
【００５３】
制御部１１のスケジュール情報取得部１１１は、制御装置２０Ａから固定スケジュール情報の少なくとも一部を取得する。例えば、スケジュール情報取得部１１１は、４００日分の固定スケジュール情報のうち、今日から３日分の固定スケジュール情報を取得する。
【００５４】
記憶部１３は、スケジュール情報取得部１１１により取得された固定スケジュール情報を記憶する。
【００５５】
出力制御部１１２は、制御装置２０Ａと自パワーコンディショナ装置（自装置）との通信状態が正常である場合、制御装置２０Ａから受信した出力指令値に基づいて自装置の出力制御を行う。一方、通信状態が異常である場合、出力制御部１１２は、記憶部１３から固定スケジュール情報を読み出し、読み出した固定スケジュール情報に基づいて自装置の出力制御を行う。ここで、通信状態が正常であるとは、制御装置２０Ａから出力指令値を受信可能な状態であることをいい、通信状態が異常であるとは、制御装置２０Ａから出力指令値を受信できない状態であることをいう。
【００５６】
なお、第１の実施形態と同様に、出力制御部１１２は、通信異常が所定の時間継続した場合に、記憶部１３から固定スケジュール情報を読み出してもよい。また、出力制御部１１２は、通信状態が異常であり、かつ記憶部１３から固定スケジュール情報を読み出せない場合、自装置の出力を停止する制御を行ってもよい。
【００５７】
上記のように、第２の実施形態に係る太陽光発電システム１Ａでは、制御装置２０Ａは、外部サーバ４００から更新スケジュール情報および固定スケジュール情報を取得し、各パワーコンディショナ装置１０Ａは、制御装置２０Ａが外部サーバ４００から通信ネットワーク経由で取得した固定スケジュール情報の少なくとも一部を記憶し、通信異常の場合に、当該固定スケジュール情報に基づいて自装置の出力制御を行う。このように、第２の実施形態によれば、制御装置２０Ａとパワーコンディショナ装置１０Ａ間で通信異常が発生した場合であっても、各パワーコンディショナ装置１０Ａは出力制御スケジュール情報に基づいて自律的に出力抑制を行うことができるため、設備利用率の低下を抑制するとともに売電損失を少なくすることができる。
【００５８】
次に、太陽光発電システム１Ａの制御方法について、図７のフローチャートを参照して説明する。
【００５９】
まず、制御装置２０Ａが、外部サーバ４００から第１の出力制御スケジュール情報（更新スケジュール情報）および第２の出力制御スケジュール情報（固定スケジュール情報）を取得したかどうかを判定する（ステップＳ２１）。更新スケジュール情報および固定スケジュール情報を取得した場合（Ｓ２１：Ｙｅｓ）、制御装置２０Ａは、複数のパワーコンディショナ装置１０Ａに第１の出力制御スケジュール情報（更新スケジュール情報）に基づく出力指令値を送信する（ステップＳ２２）。
【００６０】
次に、パワーコンディショナ装置１０Ａのスケジュール情報取得部１１１が、制御装置２０Ａから第２の出力制御スケジュール情報（固定スケジュール情報）の少なくとも一部を取得する（ステップＳ２３）。
【００６１】
次に、パワーコンディショナ装置１０Ａの記憶部１３が、ステップＳ２３で取得された第２の出力制御スケジュール情報（固定スケジュール情報）を記憶する（ステップＳ２４）。
【００６２】
以後の制御フローについては、第１の実施形態で図５のフローチャートを参照して説明したものと同じなので詳しい説明を省略する。
【００６３】
（第３の実施形態）
次に、本発明の第３の実施形態に係る太陽光発電システム１Ｂについて説明する。第１の実施形態との相違点の一つは、制御装置が設けられず、複数のパワーコンディショナ装置のうちある一つのパワーコンディショナ装置がマスター装置となり外部の情報処理装置から出力制御スケジュール情報を取得し、他のパワーコンディショナ装置がマスター装置から出力制御スケジュール情報を受信して自立運転する点である。以下、相違点を中心に第３の実施形態について説明する。
【００６４】
第３の実施形態に係る太陽光発電システム１Ｂは、図８に示すように、マスターパワーコンディショナ装置（第１のパワーコンディショナ装置）１０ＢＭと、このマスターパワーコンディショナ装置１０ＢＭに通信可能に接続された１つまたは複数のスレーブパワーコンディショナ装置（第２のパワーコンディショナ装置）１０ＢＳと、を備えている。
【００６５】
マスターパワーコンディショナ装置１０ＢＭおよびスレーブパワーコンディショナ装置１０ＢＳは、概略的な構成としては第１の実施形態で図２を参照して説明したパワーコンディショナ装置１０とほぼ同じであるが、相違点について以下に説明する。
【００６６】
まず、マスターパワーコンディショナ装置１０ＢＭについて説明する。
【００６７】
マスターパワーコンディショナ装置１０ＢＭは、通信部１２がＵＳＢ接続ポート等の通信ポートを有し、外部の情報処理装置３００と通信することができる。そして、マスターパワーコンディショナ装置１０ＢＭは、外部の情報処理装置３００から出力制御スケジュール情報（例えば、固定スケジュール情報）を取得する。この出力制御スケジュール情報は、マスターパワーコンディショナ装置１０ＢＭおよびスレーブパワーコンディショナ装置１０ＢＳの出力制御値を含むものであり、例えば、マスターパワーコンディショナ装置１０ＢＭおよびスレーブパワーコンディショナ装置１０ＢＳの固定スケジュール情報である。なお、マスターパワーコンディショナ装置１０ＢＭのスケジュール情報とスレーブパワーコンディショナ装置１０ＢＳのスケジュール情報は同一であるが、異なるスケジュールであってもよい。
【００６８】
マスターパワーコンディショナ装置１０ＢＭは、外部の情報処理装置３００から取得した出力制御スケジュール情報に基づいて自装置の出力抑制を行う。また、マスターパワーコンディショナ装置１０ＢＭは、取得した出力制御スケジュール情報の少なくとも一部をスレーブパワーコンディショナ装置１０ＢＳに送信する。
【００６９】
次に、スレーブパワーコンディショナ装置１０ＢＳについて説明する。
【００７０】
スレーブパワーコンディショナ装置１０ＢＳのスケジュール情報取得部１１１は、マスターパワーコンディショナ装置１０ＢＭから出力制御スケジュール情報の少なくとも一部を取得する。例えば、スケジュール情報取得部１１１は、４００日分の固定スケジュール情報のうち、今日から３日分の固定スケジュール情報を取得する。
【００７１】
スレーブパワーコンディショナ装置１０ＢＳの記憶部１３は、スケジュール情報取得部１１１により取得された出力制御スケジュール情報を記憶する。
【００７２】
スレーブパワーコンディショナ装置１０ＢＳの出力制御部１１２は、記憶部１３から出力制御スケジュール情報を読み出し、読み出した出力制御スケジュール情報に基づいて自パワーコンディショナ装置（自装置）の出力制御を行う。
【００７３】
なお、出力制御部１１２は、記憶部１３から出力制御スケジュール情報を読み出せない場合、自装置の出力を停止する制御を行ってもよい。
【００７４】
上記のように、第３の実施形態に係る太陽光発電システム１Ｂでは、マスターパワーコンディショナ装置１０ＢＭは、情報処理装置３００から出力制御スケジュール情報を取得し、スレーブパワーコンディショナ装置１０ＢＳはマスターパワーコンディショナ装置１０ＢＭが取得した出力制御スケジュール情報の少なくとも一部を記憶し、当該出力制御スケジュール情報に基づいて自装置の出力制御を行う。これにより、パワーコンディショナ装置１０Ａは、常時、出力制御スケジュール情報に基づいて自律的に出力抑制を行うことができる。
【００７５】
第３の実施形態では、パワーコンディショナ装置は外部との通信状態によらず出力制御スケジュール情報に基づいて自律的に出力抑制を行うため、太陽光発電システムの設備利用率の低下をさらに抑制するとともに、売電損失をさらに少なくすることができる。
【００７６】
また、第３の実施形態では、制御装置を設けないため、太陽光発電システムの構成を簡易にするとともに導入コストを減らすことができる。
【００７７】
次に、太陽光発電システム１Ｂの制御方法について、図９のフローチャートを参照して説明する。
【００７８】
まず、マスターパワーコンディショナ装置１０ＢＭが、外部の情報処理装置３００からマスターパワーコンディショナ装置１０ＢＭおよびスレーブパワーコンディショナ装置１０ＢＳの出力抑制値を含む出力制御スケジュール情報を取得したかどうかを判定する（ステップＳ３１）。出力制御スケジュール情報を取得した場合（Ｓ３１：Ｙｅｓ）、マスターパワーコンディショナ装置１０ＢＭが出力制御スケジュール情報の少なくとも一部をスレーブパワーコンディショナ装置１０ＢＳに送信する。これにより、スレーブパワーコンディショナ装置１０ＢＳは、出力制御スケジュール情報の少なくとも一部を取得する（ステップＳ３２）。
【００７９】
次に、スレーブパワーコンディショナ装置１０ＢＳの記憶部１３が、ステップＳ３２で取得された出力制御スケジュール情報を記憶する（ステップＳ３３）。
【００８０】
次に、スレーブパワーコンディショナ装置１０ＢＳの出力制御部１１２は、記憶部１３から出力制御スケジュール情報を読み出し可能であるかどうかを判定する（ステップＳ３４）。そして、読み出し可能である場合（Ｓ３４：Ｙｅｓ）、出力制御部１１２は、記憶部１３から出力制御スケジュール情報を読み出し、読み出した出力制御スケジュール情報に基づいて自装置の出力制御を行う（ステップＳ３５）。
【００８１】
一方、記憶部１３から出力制御スケジュール情報を読み出すことができない場合（Ｓ３４：Ｎｏ）、スレーブパワーコンディショナ装置１０ＢＳは、出力停止制御を行う（ステップＳ３３）。
【００８２】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００８３】
１，１Ａ，１Ｂ  太陽光発電システム
１０，１０Ａ  パワーコンディショナ装置
１０ＢＭ  マスターパワーコンディショナ装置
１１ＢＳ  スレーブパワーコンディショナ装置
２０，２０Ａ，２０Ｂ  制御装置
１１，１１Ａ，１１Ｂ  制御部
１１１  スケジュール情報取得部
１１２  出力制御部
１２  通信部
１３  記憶部
１４  電力変換部
３００，５００  情報処理装置
４００  外部サーバ
６００  パワーコンディショナ装置
７００  制御装置
１０００  太陽光発電システム
【図１】
0006567432.tif 000002
【図２】
0006567432.tif 000003
【図３】
0006567432.tif 000004
【図４】
0006567432.tif 000005
【図５】
0006567432.tif 000006
【図６】
0006567432.tif 000007
【図７】
0006567432.tif 000008
【図８】
0006567432.tif 000009
【図９】
0006567432.tif 000010
【図１０】
0006567432.tif 000011